(57)【要約】放送コンテンツと付加情報の同期化システム及び方法を開始する。本発明の付加情報同期化システムは、放送網を通じて受信される放送コンテンツと付加情報生成装置から伝送される同期情報を比較し、前記コンテンツ提供者から提供される放送コンテンツと前記放送網を通じて受信される放送コンテンツの間の時間的オフセット（Ｏｆｆｓｅｔ）を考慮した同期情報を把握し、前記統合端末機の付加情報要請に応じて受信される付加情報要請の時点に対応する放送コンテンツのＰＴＳ（Ｐｒｅｓｅｎｔ Ｔｉｍｅ Ｓｔａｍｐ）情報及び前記時間的オフセットを考慮した同期情報に基づいて前記付加情報要請の時点に対応する画面情報を抽出する。
2010516078.tif 000002
【特許請求の範囲】
【請求項１】
統合端末機に提供される放送コンテンツと付加情報の同期化システムにおいて、
コンテンツ提供者から提供される放送コンテンツを受信し、前記放送コンテンツと関連した付加情報、前記放送コンテンツ上の特定プログラムに対する場面転換の発生した画面情報、及び前記場面転換の発生した画面と前記特定プログラムの初期画面との時間差情報を含む同期情報を生成して伝送する付加情報生成装置；
放送網を通じて受信される前記放送コンテンツと前記付加情報生成装置から伝送される同期情報を比較し、前記コンテンツ提供者から提供される放送コンテンツと前記放送網を通じて受信される放送コンテンツの間の時間的オフセット（Ｏｆｆｓｅｔ）を考慮した同期情報を把握し、前記統合端末機の付加情報要請に応じて受信される付加情報要請の時点に対応する放送コンテンツのＰＴＳ（Ｐｒｅｓｅｎｔ Ｔｉｍｅ Ｓｔａｍｐ）情報及び前記時間的オフセットを考慮した同期情報に基づいて前記付加情報要請の時点に対応する画面情報を抽出して伝送する同期サーバー；
前記付加情報生成装置から伝送される前記付加情報を受信して保存し、前記付加情報要請に応じて前記同期サーバーから伝送される前記抽出された画面情報と関連した付加情報を抽出して伝送する付加情報サーバー；
前記付加情報要請に応じて通信網を通じて前記統合端末機から受信される前記ＰＴＳ情報を受信して前記同期サーバーに提供し、前記付加情報サーバーから前記抽出された付加情報を受信して前記統合端末機に提供する端末連動サーバー；及び
同期化された前記放送網を通じての放送コンテンツ及び前記付加情報を表示する前記統合端末機；を含むことを特徴とする、放送コンテンツと付加情報の同期化システム。
【請求項２】
前記同期サーバーは、
前記放送網のＥＰＧ（Ｅｌｅｃｔｒｏｎｉｃ Ｐｒｏｇｒａｍ Ｇｕｉｄｅ）チャネルを介して伝達されるプログラム編成情報に基づいて前記コンテンツ提供者から受信された放送コンテンツ上の特定プログラムに対する開始時間情報を含む第１同期（Ｃｏａｒｓｅ Ｓｙｎｃｈｒｏｎｉｚａｔｉｏｎ）情報を獲得する第１同期設定部；
前記付加情報生成装置から受信される前記場面転換の発生した画面情報に基づき、前記放送網を通じて受信される放送コンテンツ上の特定プログラムに対する場面転換の発生した画面情報を抽出し、前記特定プログラムの初期画面との時間差情報に基づき、前記放送網を通じて受信される放送コンテンツの特定プログラムに対する初期画面情報を獲得し、前記初期画面情報にエンコードされたＰＴＳ情報を含む第２同期（Ｆｉｎｅ Ｓｙｎｃｈｒｏｎｉｚａｔｉｏｎ）情報を抽出する第２同期設定部；及び
前記第１同期情報及び第２同期情報に基づき、前記統合端末機の付加情報要請に応じて受信されるＰＴＳ情報との時間差を活用し、前記付加情報要請の時点に対応する画面情報を抽出して伝送する画面情報抽出部；を含むことを特徴とする、請求項１に記載の放送コンテンツと付加情報の同期化システム。
【請求項３】
統合端末機に提供される放送コンテンツと付加情報を同期化させるための同期サーバーにおいて、
放送網を通じて受信される放送コンテンツとコンテンツ提供者から提供される放送コンテンツ上の同期情報を比較し、前記コンテンツ提供者から提供される放送コンテンツと前記放送網を通じて受信される放送コンテンツの間の時間的オフセット（Ｏｆｆｓｅｔ）を考慮した同期情報を把握し、前記統合端末機の付加情報要請に応じて受信される付加情報要請の時点に対応する放送コンテンツのＰＴＳ（Ｐｒｅｓｅｎｔ Ｔｉｍｅ Ｓｔａｍｐ）情報及び前記時間的オフセットを考慮した同期情報に基づいて前記付加情報要請の時点に対応する画面情報を抽出することを特徴とする、同期サーバー。
【請求項４】
前記コンテンツ提供者から提供される放送コンテンツの同期情報は、前記コンテンツ提供者から制動された放送コンテンツ上の特定プログラムに対する場面転換の発生した画面情報及び前記場面転換の発生した画面と前記特定プログラムの初期画面との時間差情報を含むことを特徴とする、請求項３に記載の同期サーバー。
【請求項５】
前記同期サーバーは、
前記放送網のＥＰＧ（Ｅｌｅｃｔｒｏｎｉｃ Ｐｒｏｇｒａｍ Ｇｕｉｄｅ）チャネルを介して伝達されるプログラム編成情報に基づき、前記コンテンツ提供者から受信された放送コンテンツ上の特定プログラムに対する開始時間情報を含む第１同期（Ｃｏａｒｓｅ Ｓｙｎｃｈｒｏｎｉｚａｔｉｏｎ）情報を獲得する第１同期設定部；
前記場面転換の発生した画面情報に基づき、前記放送網を通じて受信される放送コンテンツ上の特定プログラムに対する場面転換の発生した画面情報を抽出し、前記特定プログラムの初期画面との時間差情報に基づき、前記放送網を通じて受信される放送コンテンツの特定プログラムに対する初期画面情報を獲得し、前記初期画面情報にエンコードされたＰＴＳ（Ｐｒｅｓｅｎｔ Ｔｉｍｅ Ｓｔａｍｐ）情報を含む第２同期（Ｆｉｎｅ Ｓｙｎｃｈｒｏｎｉｚａｔｉｏｎ）情報を抽出する第２同期設定部；及び
前記第１同期情報及び第２同期情報に基づき、前記統合端末機の付加情報要請に応じて受信されるＰＴＳ情報との時間差を活用し、前記付加情報要請の時点に対応する画面情報を抽出して伝送する画面情報抽出部；を含むことを特徴とする、請求項４に記載の同期サーバー。
【請求項６】
統合端末機に提供される放送コンテンツと付加情報の同期化方法において、
ａ）付加情報生成装置がコンテンツ提供者から提供される放送コンテンツを受信し、前記放送コンテンツと関連した付加情報及び同期情報を生成して伝送する段階；
ｂ）付加情報サーバーが前記付加情報生成装置から伝送される前記付加情報を受信して保存する段階；
ｃ）同期サーバーが前記ｂ）段階と同時に放送網を通じて受信される前記放送コンテンツと前記付加情報生成装置から伝送される同期情報を比較し、前記コンテンツ提供者から提供される放送コンテンツと前記放送網を通じて受信される放送コンテンツの間の時間的オフセット（Ｏｆｆｓｅｔ）を考慮した同期情報を把握する段階；
ｄ）端末連動サーバーが前記統合端末機の付加情報要請に応じて付加情報要請の時点に対応する放送コンテンツのＰＴＳ情報を受信して前記同期サーバーに提供する段階；
ｅ）前記時間的オフセットを考慮した同期情報に基づき、前記端末連動サーバーから受信されるＰＴＳ情報との時間差を活用し、前記付加情報要請の時点に対応する画面情報を抽出して伝送する段階；
ｆ）前記付加情報サーバーが前記同期サーバーから伝送される前記抽出された画面情報と関連した付加情報を抽出して伝送する段階；及び
ｇ）前記端末連動サーバーが前記付加情報サーバーから前記抽出された付加情報を受信し、通信網を通じて前記統合端末機に提供する段階；を含むことを特徴とする、放送コンテンツと付加情報の同期化方法。
【請求項７】
前記ａ）段階は、
前記放送コンテンツ上の特定プログラムに対する場面転換の発生した画面情報及び前記場面転換の発生した画面と前記特定プログラムの初期画面との時間差情報を含む前記同期情報を生成して伝送することを特徴とする、請求項６に記載の放送コンテンツと付加情報の同期化方法。
【請求項８】
前記ｃ）段階は、
ｃ−１）前記放送網のＥＰＧ（Ｅｌｅｃｔｒｏｎｉｃ Ｐｒｏｇｒａｍ Ｇｕｉｄｅ）チャネルを介して伝達されるプログラム編成情報を受信する段階；及び
ｃ−２）前記受信されたプログラム編成情報に基づき、前記コンテンツ提供者から受信された放送コンテンツ上の特定プログラムに対する開始時間情報を含む第１同期（Ｃｏａｒｓｅ Ｓｙｎｃｈｒｏｎｉｚａｔｉｏｎ）情報を把握する段階；を含むことを特徴とする、請求項７に記載の放送コンテンツと付加情報の同期化方法。
【請求項９】
前記ｃ）段階は、
ｃ−１）前記場面転換の発生した画面情報に基づき、前記放送網を通じて受信される放送コンテンツ上の特定プログラムに対して場面転換の発生した画面情報を抽出する段階；
ｃ−２）前記特定プログラムの初期画面との時間差情報に基づき、前記放送網を通じて受信される放送コンテンツの特定プログラムに対する初期画面情報を獲得する段階；及び
ｃ−３）前記獲得された初期画面情報にエンコードされたＰＴＳ（Ｐｒｅｓｅｎｔ Ｔｉｍｅ Ｓｔａｍｐ）情報を含む第２同期（Ｆｉｎｅ Ｓｙｎｃｈｒｏｎｉｚａｔｉｏｎ）情報を把握する段階；を含むことを特徴とする、請求項７に記載の放送コンテンツと付加情報の同期化方法。
【請求項１０】
前記ｅ）段階は、前記第１同期情報及び第２同期情報に基づき、前記統合端末機の付加情報要請に応じて受信されるＰＴＳ情報との時間差を活用し、前記付加情報要請の時点に対応する画面情報を抽出して伝送することを特徴とする、請求項８に記載の放送コンテンツと付加情報の同期化方法。
【請求項１１】
統合端末機に提供される放送コンテンツと付加情報の同期化方法において、
ａ）放送網を通じて受信される放送コンテンツ、コンテンツ提供者から提供される放送コンテンツ上の特定プログラムに対する場面転換の発生した画面情報、及び前記場面転換の発生した画面と前記特定プログラムの初期画面との時間差情報を含む同期情報を比較し、前記コンテンツ提供者から提供される放送コンテンツと前記放送網を通じて受信される放送コンテンツの間の時間的オフセット（Ｏｆｆｓｅｔ）を考慮した同期情報を把握する段階；
ｂ）前記統合端末機の付加情報要請に応じて付加情報要請の時点に対応する放送コンテンツのＰＴＳ情報を受信する段階；及び
ｃ）前記時間的オフセットを考慮した同期情報に基づき、前記付加情報要請に応じて受信されたＰＴＳ情報との時間差を活用し、前記付加情報要請の時点に対応する画面情報を抽出する段階；を含むことを特徴とする、放送コンテンツと付加情報の同期化方法。
【請求項１２】
前記ａ）段階は、
ａ−１）前記放送網のＥＰＧ（Ｅｌｅｃｔｒｏｎｉｃ Ｐｒｏｇｒａｍ Ｇｕｉｄｅ）チャネルを介して伝達されるプログラム編成情報を受信する段階；及び
ａ−２）前記受信されたプログラム編成情報に基づき、前記コンテンツ提供者から受信された放送コンテンツ上の特定プログラムに対する開始時間情報を含む第１同期（Ｃｏａｒｓｅ Ｓｙｎｃｈｒｏｎｉｚａｔｉｏｎ）情報を把握する段階；を含むことを特徴とする、請求項１１に記載の放送コンテンツと付加情報の同期化方法。
【請求項１３】
前記ａ）段階は、
ａ−１）前記場面転換の発生した画面情報に基づき、前記放送網を通じて受信される放送コンテンツ上の特定プログラムに対して場面転換の発生した画面情報を抽出する段階；
ａ−２）前記特定プログラムの初期画面との時間差情報に基づき、前記放送網を通じて受信される放送コンテンツの特定プログラムに対する初期画面情報を獲得する段階；及び
ａ−３）前記獲得された初期画面情報にエンコードされたＰＴＳ（Ｐｒｅｓｅｎｔ Ｔｉｍｅ Ｓｔａｍｐ）情報を含む第２同期（Ｆｉｎｅ Ｓｙｎｃｈｒｏｎｉｚａｔｉｏｎ）情報を把握する段階；を含むことを特徴とする、請求項１１に記載の放送コンテンツと付加情報の同期化方法。
【請求項１４】
前記ｃ）段階は、前記第１同期情報及び第２同期情報に基づき、前記統合端末機の付加情報要請に応じて受信されるＰＴＳ情報との時間差を活用し、前記付加情報要請の時点に対応する画面情報を抽出することを特徴とする、請求項１２に記載の放送コンテンツと付加情報の同期化方法。
【請求項１５】
付加情報を提供することができる放送プログラムをストリーム形態で提供する放送局；
前記放送局から放送されるプログラムをストリーム形態で受け、画面比較によって放送開始時点を演算設定し、選択された画面の時間情報に対応する付加情報を検出して提供する付加情報サーバー；
前記放送局がストリーム形態で提供するプログラムを多数の統合端末機に放送し、前記付加情報サーバーから提供される付加情報を指定統合端末機にデータ通信で提供する通信網；及び
前記通信網と通信接続して放送プログラムを視聴し、選択された画面の付加情報を要請して受ける統合端末機；を含んでなることを特徴とする、放送コンテンツと付加情報の同期化システム。
【請求項１６】
前記放送局が放送するマルチメディアコンテンツプログラムを製作して提供するＣＰ；及び
前記ＣＰが提供するコンテンツプログラムの放送開始を確認する同期情報と放送された後の時間単位別画面に対応する付加情報を製作して前記付加情報サーバーに提供する付加情報生成装置；をさらに含んでなることを特徴とする、請求項１５に記載の放送コンテンツと付加情報の同期化システム。
【請求項１７】
前記付加情報生成装置は、前記付加情報を放送プログラムの画面フレーム単位で対応状態に製作することを特徴とする、請求項１６に記載の放送コンテンツと付加情報の同期化システム。
【請求項１８】
前記付加情報サーバーは、前記放送局からストリーム方式で提供されるプログラムを画面単位でデコードしてベクトル値に変換し、前記付加情報生成装置から提供される付加情報と同期情報をエンコード形態によってデコードしてベクトル値に変換し、前記それぞれ変換されたベクトル値の類似度が臨界値以上であれば、プログラムの開始画面による開始時間（ＰＴＳ（Ｓ））に設定することを特徴とする、請求項１５に記載の放送コンテンツと付加情報の同期化システム。
【請求項１９】
前記付加情報生成装置は、前記付加情報と同期情報をＸＭＬ形態で前記付加情報サーバーに提供することを特徴とする、請求項１６に記載の放送コンテンツと付加情報の同期化システム。
【請求項２０】
前記付加情報サーバーは、前記統合端末機が選択して要請した画面の時間情報を検出し、該当付加情報を検索して提供することを特徴とする、請求項１５に記載の放送コンテンツと付加情報の同期化システム。
【請求項２１】
前記通信網は、前記放送局からストリーム方式で提供される放送プログラムを多数の統合端末機に同時放送し、統合端末機が画面を選択して付加情報を要請すれば、付加情報サーバーに選択した画面の時間情報を提供して該当付加情報を受け、前記統合端末機に伝達することを特徴とする、請求項１５に記載の放送コンテンツと付加情報の同期化システム。
【請求項２２】
Ａ）付加情報サーバーによって放送局からストリーム方式で提供されるプログラムと付加情報生成装置から提供される付加情報と同期情報の画面分析によって同期画面検出及びプログラム放送開始時間を設定する過程；
Ｂ）通信網によって統合端末機から両方向放送通信要請があれば、付加情報サーバーに通報し、放送局からストリーム方式で提供される放送プログラムを伝達する過程；及び
Ｃ）前記付加情報サーバーによって前記統合端末機から選択された画面の付加情報提供要請があれば、プログラムが放送された後の経過時間を演算し、付加情報を検索して提供する過程；を含んでなることを特徴とする、放送コンテンツと付加情報の同期化方法。
【請求項２３】
前記Ａ）過程は、
Ａ−１）前記付加情報サーバーによって付加情報生成装置からプログラムの付加情報と同期情報を受ける過程；
Ａ−２）前記付加情報サーバーによって放送局から放送されるプログラムをストリーム方式で受ける過程；及び
Ａ−３）前記同期情報と放送されるプログラムをそれぞれベクトル値に変換し、類似度の比較過程を行ってプログラムの同期画面を検出し、開始時間を設定する過程；を含むことを特徴とする、請求項２２に記載の放送コンテンツと付加情報の同期化方法。
【請求項２４】
前記付加情報生成装置から提供される付加情報と同期情報はＸＭＬ形態であることを特徴とする、請求項２３に記載の放送コンテンツと付加情報の同期化方法。
【請求項２５】
前記Ａ−３）過程での類似度の比較手過程は、前記放送されるプログラムをデコードしてベクトル値を求め、前記付加情報生成装置が提供する情報を解釈して同期情報を分離し、前記分離された同期情報のエンコード形態によってデコードされた画面のベクトル値を求め、前記それぞれ求められたベクトル値の類似度が所定の臨界値より大きい場合、同期画面で検出してプログラムの放送開始時間に設定することを特徴とする、請求項２３に記載の放送コンテンツと付加情報の同期化方法。
【請求項２６】
前記Ｂ）過程は、
Ｂ−１）前記統合端末機によって無線接続された通信網に両方向放送通信サービスを要請する過程；
Ｂ−２）前記通信網によって付加情報サーバーに統合端末機の放送通信要請を通報し、放送局にプログラム提供を要請する過程；
Ｂ−３）前記通信網によって放送局がストリーム方式で提供する放送プログラムを入力する過程；及び
Ｂ−４）前記ストリーム方式で提供される放送プログラムを統合端末機に伝達する過程；を含むことを特徴とする、請求項２２に記載の放送コンテンツと付加情報の同期化方法。
【請求項２７】
前記通信網を通じて統合端末機の要請内容の通報を受けた付加情報サーバーが、前記統合端末機のサービス利用状態を監視する過程をさらに含むことを特徴とする、請求項２６に記載の放送コンテンツと付加情報の同期化方法。
【請求項２８】
前記Ｃ）過程は、
Ｃ−１）前記統合端末機によって選択された画面の付加情報要請信号を付加情報サーバーに提供する過程；
Ｃ−２）前記付加情報サーバーによってプログラムの開始時間と選択された時間を演算する過程；
Ｃ−３）前記付加情報サーバーによってプログラムの演算された時間に対応する付加情報を検索する過程；及び
Ｃ−４）前記検索された付加情報を統合端末機に提供する過程；を含んでなることを特徴とする、請求項２２に記載の放送コンテンツと付加情報の同期化方法。
【請求項２９】
前記Ｃ−２）過程で、プログラムの開始時間演算は、放送プログラムのフレーム単位で行われることを特徴とする、請求項２８に記載の放送コンテンツと付加情報の同期化方法。
【請求項３０】
放送局が放送するプログラムと付加情報生成装置からの付加情報と同期情報を受け、プログラム開始時間を設定し、選択された時間の付加情報を提供する付加情報サーバーにおいて、
前記放送局のストリームプログラムを受信する放送受信部；
前記ストリーム方式で受信されたプログラム信号を画面単位情報に解読するデコーダ部；
前記付加情報生成装置から提供される付加情報と同期情報を記録する同期情報部；
前記デコーダ部の画面情報と同期情報部の同期情報をそれぞれベクトル化し、類似度が所定の臨界値以上であれば、プログラム開始画面として選択し、該当時間をプログラム開始時間に設定する映像比較部；及び
前記映像比較部が設定した開始時間を記録管理し、指定画面が放送時間を演算する開始時間部；を含んでなることを特徴とする、付加情報サーバー。
【請求項３１】
前記映像比較部は、
前記デコーダ部から提供されるプログラム画面の信号をベクトル値に変換するベクトル部；
前記同期情報部から提供される付加情報を解釈して同期情報を分離し、前記同期情報のエンコード形態によってデコードされた同期情報を前記ベクトル部に提供する解釈部；及び
前記ベクトル部から画面のベクトルデータと前記解釈部から同期情報のベクトルデータをそれぞれ受け、類似度が所定の臨界値より大きい値であるかを判断し、類似度が大きい値であれば、プログラム画面を開始画面として指定し、開始時間を設定する比較部；を含んでなることを特徴とする、請求項３０に記載の付加情報サーバー。
【請求項３２】
前記開始時間部は、前記指定画面のフレーム順序を演算する構成を含むことを特徴とする、請求項３０に記載の付加情報サーバー。
【請求項３３】
前記ベクトル部は、ＦＵＬＬ方式、ＣＲＯＳＳ方式、及びＯＢＬＩＱＵＥ方式のいずれか一つの方式によってプログラム画面信号のベクトル値を求めることを特徴とする、請求項３１に記載の付加情報サーバー。
【請求項３４】
Ａ）付加情報サーバーによって放送局からプログラムをストリーム方式で受け、デコードしてベクトル値に変換するプログラム過程；
Ｂ）前記付加情報サーバーによって付加情報生成装置からプログラムの付加情報と同期情報の入力を受けてＸＭＬ解釈し、エンコード形態別にデコードしてベクトル値に変換する付加過程；及び
Ｃ）前記各ベクトル値の類似度を比較し、設定された臨界値より大きければ、プログラムの該当画面を同期映像に設定し、開始時間を設定する過程；を含んでなることを特徴とする、放送コンテンツと付加情報の同期化方法。
【請求項３５】
前記Ａ）過程は、
Ａ−１）前記付加情報サーバーによって、放送局から放送されるプログラムがストリーム方式で入力されるかを確認する過程；
Ａ−２）前記放送されるプログラムがストリーム方式で入力される場合、受信してデコードし、画面単位で暗号を解読する過程；及び
Ａ−３）前記デコードされた画面単位の放送プログラムをベクトル値に変換する過程；を含むことを特徴とする、請求項３４に記載の放送コンテンツと付加情報の同期化方法。
【請求項３６】
前記Ｂ）過程は、
Ｂ−１）前記付加情報サーバーによって、付加情報生成装置から付加情報と同期情報が入力されるかを確認する過程；
Ｂ−２）前記付加情報と同期情報が入力される場合、ＸＭＬ解釈して画面による同期情報を分類する過程；
Ｂ−３）前記解釈された同期情報の画面をエンコード形態別にデコードして暗号を解読する過程；及び
Ｂ−４）前記デコードされた同期情報の画面をベクトル値に変換する過程；を含むことを特徴とする、請求項３４に記載の放送コンテンツと付加情報の同期化方法。
【請求項３７】
前記Ｃ）過程は、
Ｃ−１）前記ストリームされた放送プログラムの画面単位ベクトル値と前記同期情報画面のベクトル値を比較した類似度が所定の臨界値より大きいかを確認する過程；及び
Ｃ−２）前記類似度が臨界値より大きければ、該当画面をプログラムの同期映像として選択し、開始時間を設定する過程；を含むことを特徴とする、請求項３４に記載の放送コンテンツと付加情報の同期化方法。
【請求項３８】
前記Ｃ）過程で、各ベクトル値の類似度の比較は、ベクトル間の距離を測定するユークリッド距離方法とコサイン距離方法のいずれか一つの方法によって行われることを特徴とする、請求項３４に記載の放送コンテンツと付加情報の同期化方法。
【請求項３９】
前記付加情報生成装置から提供される付加情報と同期情報は、ＸＭＬ形態であることを特徴とする、請求項３６に記載の放送コンテンツと付加情報の同期化方法。
【請求項４０】
通信網を通じて統合端末機と接続し、放送局からプログラムをストリーム方式で受け、付加情報生成装置から付加情報と同期情報を受ける付加情報サーバーによる放送コンテンツと付加情報の同期化方法において、
Ａ）前記統合端末機が、放送されるプログラムを視聴しながら選択された画面の付加情報を要請するか確認する過程；
Ｂ）前記統合端末機が付加情報を要請する場合、選択された画面の時間情報と選択された地点の座標情報を入力し、プログラムでの経過時間を演算する過程；及び
Ｃ）前記選択された画面と座標情報に対応する付加情報を検索して統合端末機に提供する過程；を含んでなることを特徴とする、放送コンテンツと付加情報の同期化方法。
【請求項４１】
前記Ｂ）過程は、
前記統合端末機が選択したプログラム画面の放送の後、現在時間情報と座標情報を入力する過程；及び
前記入力された現在時間情報と放送プログラムの開始時間情報を演算して経過時間を求める過程；を含むことを特徴とする、請求項４０に記載の放送コンテンツと付加情報の同期化方法。
【請求項４２】
前記プログラム画面の時間情報は、前記プログラム画面のフレーム番号情報を含むことを特徴とする、請求項４１に記載の放送コンテンツと付加情報の同期化方法。
【請求項４３】
Ａ）統合端末機によって両方向放送通信信号を受信するか確認する過程；
Ｂ）前記統合端末機によって放送通信信号を受信する場合、両方向放送通信プログラムを受信して視聴し、特定画面の付加情報を確認するかを判断する過程；及び
Ｃ）前記視聴中の特定画面の付加情報を確認する場合、選択された画面の時間情報と座標情報を付加情報サーバーに提供し、該当付加情報を受ける過程；を含んでなることを特徴とする、放送コンテンツと付加情報の同期化方法。
【請求項４４】
前記Ｃ）過程は、
前記統合端末機によって選択された放送プログラム画面の時間情報と座標情報を付加情報サーバーに提供する過程；及び
前記付加情報サーバーから提供される選択された画面の付加情報を受ける過程；を含むことを特徴とする、請求項４３に記載の放送コンテンツと付加情報の同期化方法。
【請求項４５】
前記付加情報は、テキスト、イメージ、及び動画の中で一つ以上を含むことを特徴とする、請求項４３に記載の放送コンテンツと付加情報の同期化方法。
【発明の詳細な説明】
【技術分野】
【０００１】
本発明は放送コンテンツと付加情報の同期化システム及び方法に係り、より詳しくは放送コンテンツによる付加情報を実時間で可変する該当放送コンテンツに時間的に正確にマッチングさせて提供する放送コンテンツと付加情報の同期化システム及び方法に関するものである。
【背景技術】
【０００２】
現在モバイルデータ通信サービスには、無線インターネットサービス、移動コンピュータサービス、無線データ通信サービス、無線インターネット接続サービス、衛星通信サービスなどが使用されている。
【０００３】
このようなモバイルデータ通信サービスの中で、事業の多角化、市場性、技術の進歩性などによって一番脚光を浴びている分野とし、各種コンテンツを個人情報端末機に提供する無線放送サービス分野が注目を引いており、現在、ＣＰ（Ｃｏｎｔｅｎｔｓ Ｐｒｏｖｉｄｅｒ）と放送社業者及び移動通信事業者を主軸とするデータ放送サービスが提供されている。
【０００４】
既存のデータ放送サービスの場合、放送網を通じて通信網とのインターフェースのための付加情報（たとえば、ＵＲＬ）を伝達し、使用者がこれを活用して通信網に接続するか、あるいは通信網で放送プログラム上に表示される情報を伝達する方式を使用する。
【０００５】
しかし、放送網を通じて付加情報を伝達することは、追加の放送周波数資源を使わなければならない問題を生じさせ、視聴者の付加情報に対する要請が存在しない状況でも情報を伝達する非効率と、すべての使用者に同一情報を伝達するサービスの制約がある。
【０００６】
また、通信網を通じて放送と関連された情報を提供するサービスの場合には、放送情報と通信網の付加情報が時間的に緊密な関係を持つようにすることが難しい実情であり、これにより、放送プログラムの詳細内容による付加情報を時間的にマッチングさせて提供することができなく、プログラム単位で情報を集めて提供する限定的な方式で寄り掛かるしかない実情である。
【発明の概要】
【発明が解決しようとする課題】
【０００７】
したがって、本発明は前述したような先行技術が持っている問題点を解決するためになされたもので、本発明の目的は、放送コンテンツによる付加情報を実時間で可変する該当放送コンテンツに時間的に正確にマッチングさせて提供する放送コンテンツと付加情報の同期化システム及び方法を提供することにある。
【課題を解決するための手段】
【０００８】
前述した目的を達成するために、本発明は、統合端末機に提供される放送コンテンツと付加情報の同期化システムにおいて、コンテンツ提供者から提供される放送コンテンツを受信し、前記放送コンテンツと関連した付加情報、前記放送コンテンツ上の特定プログラムに対する場面転換の発生した画面情報、及び前記場面転換の発生した画面と前記特定プログラムの初期画面との時間差情報を含む同期情報を生成して伝送する付加情報生成装置；放送網を通じて受信される前記放送コンテンツと前記付加情報生成装置から伝送される同期情報を比較し、前記コンテンツ提供者から提供される放送コンテンツと前記放送網を通じて受信される放送コンテンツの間の時間的オフセット（Ｏｆｆｓｅｔ）を考慮した同期情報を把握し、前記統合端末機の付加情報要請に応じて受信される付加情報要請の時点に対応する放送コンテンツのＰＴＳ（Ｐｒｅｓｅｎｔ Ｔｉｍｅ Ｓｔａｍｐ）情報及び前記時間的オフセットを考慮した同期情報に基づいて前記付加情報要請の時点に対応する画面情報を抽出して伝送する同期サーバー；前記付加情報生成装置から伝送される前記付加情報を受信して保存し、前記付加情報要請に応じて前記同期サーバーから伝送される前記抽出された画面情報と関連した付加情報を抽出して伝送する付加情報サーバー；前記付加情報要請に応じて通信網を通じて前記統合端末機から受信される前記ＰＴＳ情報を受信して前記同期サーバーに提供し、前記付加情報サーバーから前記抽出された付加情報を受信して前記統合端末機に提供する端末連動サーバー；及び同期化された前記放送網を通じての放送コンテンツ及び前記付加情報を表示する前記統合端末機；を含む、放送コンテンツと付加情報の同期化システムを提供する。
【０００９】
好ましくは、前記同期サーバーは、前記放送網のＥＰＧ（Ｅｌｅｃｔｒｏｎｉｃ Ｐｒｏｇｒａｍ Ｇｕｉｄｅ）チャネルを介して伝達されるプログラム編成情報に基づいて前記コンテンツ提供者から受信された放送コンテンツ上の特定プログラムに対する開始時間情報を含む第１同期（Ｃｏａｒｓｅ Ｓｙｎｃｈｒｏｎｉｚａｔｉｏｎ）情報を獲得する第１同期設定部；前記付加情報生成装置から受信される前記場面転換の発生した画面情報に基づき、前記放送網を通じて受信される放送コンテンツ上の特定プログラムに対する場面転換の発生した画面情報を抽出し、前記特定プログラムの初期画面との時間差情報に基づき、前記放送網を通じて受信される放送コンテンツの特定プログラムに対する初期画面情報を獲得し、前記初期画面情報にエンコードされたＰＴＳ情報を含む第２同期（Ｆｉｎｅ Ｓｙｎｃｈｒｏｎｉｚａｔｉｏｎ）情報を抽出する第２同期設定部；及び前記第１同期情報及び第２同期情報に基づき、前記統合端末機の付加情報要請に応じて受信されるＰＴＳ情報との時間差を活用し、前記付加情報要請の時点に対応する画面情報を抽出して伝送する画面情報抽出部；を含む。
【００１０】
前記目的を達成するために、本発明は、統合端末機に提供される放送コンテンツと付加情報を同期化させるための同期サーバーにおいて、放送網を通じて受信される放送コンテンツとコンテンツ提供者から提供される放送コンテンツ上の同期情報を比較し、前記コンテンツ提供者から提供される放送コンテンツと前記放送網を通じて受信される放送コンテンツの間の時間的オフセット（Ｏｆｆｓｅｔ）を考慮した同期情報を把握し、前記統合端末機の付加情報要請に応じて受信される付加情報要請の時点に対応する放送コンテンツのＰＴＳ（Ｐｒｅｓｅｎｔ Ｔｉｍｅ Ｓｔａｍｐ）情報及び前記時間的オフセットを考慮した同期情報に基づいて前記付加情報要請の時点に対応する画面情報を抽出する、同期サーバーを提供する。
【００１１】
好ましくは、前記コンテンツ提供者から提供される放送コンテンツの同期情報は、前記コンテンツ提供者から制動された放送コンテンツ上の特定プログラムに対する場面転換の発生した画面情報及び前記場面転換の発生した画面と前記特定プログラムの初期画面との時間差情報を含む。
【００１２】
好ましくは、前記同期サーバーは、前記放送網のＥＰＧ（Ｅｌｅｃｔｒｏｎｉｃ Ｐｒｏｇｒａｍ Ｇｕｉｄｅ）チャネルを介して伝達されるプログラム編成情報に基づき、前記コンテンツ提供者から受信された放送コンテンツ上の特定プログラムに対する開始時間情報を含む第１同期（Ｃｏａｒｓｅ Ｓｙｎｃｈｒｏｎｉｚａｔｉｏｎ）情報を獲得する第１同期設定部；前記場面転換の発生した画面情報に基づき、前記放送網を通じて受信される放送コンテンツ上の特定プログラムに対する場面転換の発生した画面情報を抽出し、前記特定プログラムの初期画面との時間差情報に基づき、前記放送網を通じて受信される放送コンテンツの特定プログラムに対する初期画面情報を獲得し、前記初期画面情報にエンコードされたＰＴＳ（Ｐｒｅｓｅｎｔ Ｔｉｍｅ Ｓｔａｍｐ）情報を含む第２同期（Ｆｉｎｅ Ｓｙｎｃｈｒｏｎｉｚａｔｉｏｎ）情報を抽出する第２同期設定部；及び前記第１同期情報及び第２同期情報に基づき、前記統合端末機の付加情報要請に応じて受信されるＰＴＳ情報との時間差を活用し、前記付加情報要請の時点に対応する画面情報を抽出して伝送する画面情報抽出部；を含む。
【００１３】
前記目的を達成するために、本発明は、統合端末機に提供される放送コンテンツと付加情報の同期化方法において、ａ）付加情報生成装置がコンテンツ提供者から提供される放送コンテンツを受信し、前記放送コンテンツと関連した付加情報及び同期情報を生成して伝送する段階；ｂ）付加情報サーバーが前記付加情報生成装置から伝送される前記付加情報を受信して保存する段階；ｃ）同期サーバーが前記ｂ）段階と同時に放送網を通じて受信される前記放送コンテンツと前記付加情報生成装置から伝送される同期情報を比較し、前記コンテンツ提供者から提供される放送コンテンツと前記放送網を通じて受信される放送コンテンツの間の時間的オフセット（Ｏｆｆｓｅｔ）を考慮した同期情報を把握する段階；ｄ）端末連動サーバーが前記統合端末機の付加情報要請に応じて付加情報要請の時点に対応する放送コンテンツのＰＴＳ情報を受信して前記同期サーバーに提供する段階；ｅ）前記時間的オフセットを考慮した同期情報に基づき、前記端末連動サーバーから受信されるＰＴＳ情報との時間差を活用し、前記付加情報要請の時点に対応する画面情報を抽出して伝送する段階；ｆ）前記付加情報サーバーが前記同期サーバーから伝送される前記抽出された画面情報と関連した付加情報を抽出して伝送する段階；及びｇ）前記端末連動サーバーが前記付加情報サーバーから前記抽出された付加情報を受信し、通信網を通じて前記統合端末機に提供する段階；を含む、放送コンテンツと付加情報の同期化方法を提供する。
【００１４】
好ましくは、前記ａ）段階は、前記放送コンテンツ上の特定プログラムに対する場面転換の発生した画面情報及び前記場面転換の発生した画面と前記特定プログラムの初期画面との時間差情報を含む前記同期情報を生成して伝送する。
【００１５】
好ましくは、前記ｃ）段階は、ｃ−１）前記放送網のＥＰＧ（Ｅｌｅｃｔｒｏｎｉｃ Ｐｒｏｇｒａｍ Ｇｕｉｄｅ）チャネルを介して伝達されるプログラム編成情報を受信する段階；及びｃ−２）前記受信されたプログラム編成情報に基づき、前記コンテンツ提供者から受信された放送コンテンツ上の特定プログラムに対する開始時間情報を含む第１同期（Ｃｏａｒｓｅ Ｓｙｎｃｈｒｏｎｉｚａｔｉｏｎ）情報を把握する段階；を含む。
【００１６】
好ましくは、前記ｃ）段階は、ｃ−１）前記場面転換の発生した画面情報に基づき、前記放送網を通じて受信される放送コンテンツ上の特定プログラムに対して場面転換の発生した画面情報を抽出する段階；ｃ−２）前記特定プログラムの初期画面との時間差情報に基づき、前記放送網を通じて受信される放送コンテンツの特定プログラムに対する初期画面情報を獲得する段階；及びｃ−３）前記獲得された初期画面情報にエンコードされたＰＴＳ（Ｐｒｅｓｅｎｔ Ｔｉｍｅ Ｓｔａｍｐ）情報を含む第２同期（Ｆｉｎｅ Ｓｙｎｃｈｒｏｎｉｚａｔｉｏｎ）情報を把握する段階；を含む。
【００１７】
好ましくは、前記ｅ）段階は、前記第１同期情報及び第２同期情報に基づき、前記統合端末機の付加情報要請に応じて受信されるＰＴＳ情報との時間差を活用し、前記付加情報要請の時点に対応する画面情報を抽出して伝送する。
【００１８】
前記目的を達成するために、本発明は、統合端末機に提供される放送コンテンツと付加情報の同期化方法において、ａ）放送網を通じて受信される放送コンテンツ、コンテンツ提供者から提供される放送コンテンツ上の特定プログラムに対する場面転換の発生した画面情報、及び前記場面転換の発生した画面と前記特定プログラムの初期画面との時間差情報を含む同期情報を比較し、前記コンテンツ提供者から提供される放送コンテンツと前記放送網を通じて受信される放送コンテンツの間の時間的オフセット（Ｏｆｆｓｅｔ）を考慮した同期情報を把握する段階；ｂ）前記統合端末機の付加情報要請に応じて付加情報要請の時点に対応する放送コンテンツのＰＴＳ情報を受信する段階；及びｃ）前記時間的オフセットを考慮した同期情報に基づき、前記付加情報要請に応じて受信されたＰＴＳ情報との時間差を活用し、前記付加情報要請の時点に対応する画面情報を抽出する段階；を含む。
【００１９】
好ましくは、前記ａ）段階は、ａ−１）前記放送網のＥＰＧ（Ｅｌｅｃｔｒｏｎｉｃ Ｐｒｏｇｒａｍ Ｇｕｉｄｅ）チャネルを介して伝達されるプログラム編成情報を受信する段階；及びａ−２）前記受信されたプログラム編成情報に基づき、前記コンテンツ提供者から受信された放送コンテンツ上の特定プログラムに対する開始時間情報を含む第１同期（Ｃｏａｒｓｅ Ｓｙｎｃｈｒｏｎｉｚａｔｉｏｎ）情報を把握する段階；を含む。
【００２０】
好ましくは、前記ａ）段階は、ａ−１）前記場面転換の発生した画面情報に基づき、前記放送網を通じて受信される放送コンテンツ上の特定プログラムに対して場面転換の発生した画面情報を抽出する段階；ａ−２）前記特定プログラムの初期画面との時間差情報に基づき、前記放送網を通じて受信される放送コンテンツの特定プログラムに対する初期画面情報を獲得する段階；及びａ−３）前記獲得された初期画面情報にエンコードされたＰＴＳ（Ｐｒｅｓｅｎｔ Ｔｉｍｅ Ｓｔａｍｐ）情報を含む第２同期（Ｆｉｎｅ Ｓｙｎｃｈｒｏｎｉｚａｔｉｏｎ）情報を把握する段階；を含む。
【００２１】
好ましくは、前記ｃ）段階は、前記第１同期情報及び第２同期情報に基づき、前記統合端末機の付加情報要請に応じて受信されるＰＴＳ情報との時間差を活用し、前記付加情報要請の時点に対応する画面情報を抽出する。
【００２２】
前記目的を達成するために、本発明は、付加情報を提供することができる放送プログラムをストリーム形態で提供する放送局；前記放送局から放送されるプログラムをストリーム形態で受け、画面比較によって放送開始時点を演算設定し、選択された画面の時間情報に対応する付加情報を検出して提供する付加情報サーバー；前記放送局がストリーム形態で提供するプログラムを多数の統合端末機に放送し、前記付加情報サーバーから提供される付加情報を指定統合端末機にデータ通信で提供する通信網；及び前記通信網と通信接続して放送プログラムを視聴し、選択された画面の付加情報を要請して受ける統合端末機；を含んでなる、放送コンテンツと付加情報の同期化システムを提供する。
【００２３】
前記目的を達成するために、本発明は、Ａ）付加情報サーバーによって放送局からストリーム方式で提供されるプログラムと付加情報生成装置から提供される付加情報と同期情報の画面分析によって同期画面検出及びプログラム放送開始時間を設定する過程；Ｂ）通信網によって統合端末機から両方向放送通信要請があれば、付加情報サーバーに通報し、放送局からストリーム方式で提供される放送プログラムを伝達する過程；及びＣ）前記付加情報サーバーによって前記統合端末機から選択された画面の付加情報提供要請があれば、プログラムが放送された後の経過時間を演算し、付加情報を検索して提供する過程；を含んでなる、放送コンテンツと付加情報の同期化方法を提供する。
【００２４】
前記目的を達成するために、本発明は、放送局が放送するプログラムと付加情報生成装置からの付加情報と同期情報を受け、プログラム開始時間を設定し、選択された時間の付加情報を提供する付加情報サーバーにおいて、前記放送局のストリームプログラムを受信する放送受信部；前記ストリーム方式で受信されたプログラム信号を画面単位情報に解読するデコーダ部；前記付加情報生成装置から提供される付加情報と同期情報を記録する同期情報部；前記デコーダ部の画面情報と同期情報部の同期情報をそれぞれベクトル化し、類似度が所定の臨界値以上であれば、プログラム開始画面として選択し、該当時間をプログラム開始時間に設定する映像比較部；及び前記映像比較部が設定した開始時間を記録管理し、指定画面が放送時間を演算する開始時間部；を含んでなる、付加情報サーバーを提供する。
【００２５】
前記目的を達成するために、本発明は、Ａ）付加情報サーバーによって放送局からプログラムをストリーム方式で受け、デコードしてベクトル値に変換するプログラム過程；Ｂ）前記付加情報サーバーによって付加情報生成装置からプログラムの付加情報と同期情報の入力を受けてＸＭＬ解釈し、エンコード形態別にデコードしてベクトル値に変換する付加過程；及びＣ）前記各ベクトル値の類似度を比較し、設定された臨界値より大きければ、プログラムの該当画面を同期映像に設定し、開始時間を設定する過程；を含んでなる、放送コンテンツと付加情報の同期化方法を提供する。
【００２６】
前記目的を達成するために、本発明は、通信網を通じて統合端末機と接続し、放送局からプログラムをストリーム方式で受け、付加情報生成装置から付加情報と同期情報を受ける付加情報サーバーによる放送コンテンツと付加情報の同期化方法において、Ａ）前記統合端末機が、放送されるプログラムを視聴しながら選択された画面の付加情報を要請するか確認する過程；Ｂ）前記統合端末機が付加情報を要請する場合、選択された画面の時間情報と選択された地点の座標情報を入力し、プログラムでの経過時間を演算する過程；及びＣ）前記選択された画面と座標情報に対応する付加情報を検索して統合端末機に提供する過程；を含んでなる、放送コンテンツと付加情報の同期化方法を提供する。
【００２７】
前記目的を達成するために、本発明は、Ａ）統合端末機によって両方向放送通信信号を受信するか確認する過程；Ｂ）前記統合端末機によって放送通信信号を受信する場合、両方向放送通信プログラムを受信して視聴し、特定画面の付加情報を確認するかを判断する過程；及びＣ）前記視聴中の特定画面の付加情報を確認する場合、選択された画面の時間情報と座標情報を付加情報サーバーに提供し、該当付加情報を受ける過程；を含んでなる、放送コンテンツと付加情報の同期化方法を提供する。
【発明の効果】
【００２８】
本発明による放送コンテンツと付加情報の同期化システム及び方法は、放送コンテンツによる付加情報を実時間で可変する該当放送コンテンツに時間的に正確にマッチングさせて提供することにより、使用者のサービス満足度を増大させることができる。
【００２９】
また、放送局が放送するプログラムの各画面と付加情報生成装置によって提供される同期情報の画面を比較するので、プログラムの放送開始時間を容易に検出及び設定することができるという効果がある。
【００３０】
またプログラムの放送開始時間を検出するので、プログラムと放送時間に関連した付加情報を容易に選択して検索することができるという利点があり、さらに放送されるプログラムのフレーム単位で関連した付加情報を検索して提供するので、便宜性を増大させることができる。
【図面の簡単な説明】
【００３１】
【図１】本発明の第１実施例による放送コンテンツと付加情報の同期化システムの機能構成図である；
【図２】本発明の第１実施例による放送コンテンツと付加情報の同期化方法の信号フローチャートである；
【図３】本発明の第１実施例による放送コンテンツと付加情報の同期化方式の概念説明図である；
【図４】プログラム放送開始時間と視聴中に画面が選択された時間を示す図である；
【図５】本発明の第１実施例による付加情報サーバーの機能構成図である；
【図６】図５の映像比較部の詳細機能構成図である；
【図７】画面情報をベクトル化する方法の概念図である；
【図８】は本発明の第１実施例による付加情報サーバーの動作方法を示すフローチャートである；
【図９】本発明の第１実施例による付加情報サーバーの動作方法の他の例を示すフローチャートである；
【図１０】本発明の第１実施例による統合端末機の動作過程を示すフローチャートである；
【図１１】本発明の第２実施例による放送コンテンツと付加情報の同期化システムの構成図である；
【図１２】本発明の第２実施例による同期サーバーの概略構成図である；
【図１３】本発明の第２実施例による放送コンテンツと付加情報の同期化方法を説明する概略フローチャートである。
【発明を実施するための形態】
【００３２】
以下、添付図面を参照して本発明の好適な実施例を詳細に説明する。
【００３３】
まず、図１〜図１０に基づいて本発明の第１実施例を説明すれば次のようである。
【００３４】
図１は本発明の第１実施例による放送コンテンツと付加情報の同期化システムの機能構成図、図２は本発明の第１実施例による放送コンテンツと付加情報の同期化方法の信号フローチャート、図３は本発明の第１実施例による放送コンテンツと付加情報の同期化方式概念説明図、図４はプログラム放送開始時間と視聴中に画面が選択された時間を示す図、図５は本発明の第１実施例による付加情報サーバーの機能構成図、図６は図５の映像比較部の詳細機能構成図、図７は画面情報をベクトル化する方法の概念図、図８は本発明の第１実施例による付加情報サーバーの動作方法を示すフローチャート、図９は本発明の第１実施例による付加情報サーバーの動作方法の他の例を示すフローチャート、図１０は本発明の第１実施例による統合端末機の動作過程を示すフローチャートである。
【００３５】
図１を参照すれば、本発明の第１実施例による同期化システムは、放送するマルチメディアコンテンツプログラムを製作して供給するＣＰ１０；ＣＰから供給されるかまたは自体製作されたプログラムを地上波で放送するか、あるいは指定有線経路にストリーム方式で提供する放送局２０；プログラムコンテンツの各画面に必要な付加情報とプログラム開始のための画面の同期情報を製作して供給する付加情報生成装置３０；放送局からストリーム方式で放送されるプログラムと付加情報生成装置から提供される付加情報と同期情報の入力をそれぞれ受け、画面比較によって放送開始時点と開始時間を検出し、選択された付加情報を提供する付加情報サーバー４０；放送局がストリーム方式で放送するプログラムを多数の統合端末機に放送し、通信によって付加情報サーバーが提供する付加情報を指定統合端末機に提供する通信網５０；及び通信網と通信状態で接続して放送プログラムを視聴し、選択された画面の付加情報を要請して確認する統合端末機６０；を含む。
【００３６】
図２を参照すれば、本発明の同期化方法は、放送局からストリーム方式でプログラムを受け、付加情報生成装置からプログラムの各画面に対する付加情報と同期情報をＸＭＬ形態で受け、画面のベクトル値の比較によって類似度が臨界値以上であれば同期画面に設定するとともにプログラム開始時間を設定する過程；統合端末機の両方向放送通信サービス要請があれば通信網を通じて放送局と付加情報サーバーから両方向放送通信プログラムを受けて統合端末機に伝達する過程；付加情報サーバーによって統合端末機から選択された画面の付加情報提供要請があれば、プログラム開始時間から経過時間を演算し、該当付加情報を検索して統合端末機に提供する過程；を含む。
【００３７】
図１及び図２を参照し、本発明の同期化システム及び方法をより具体的に説明すれば次のようである。
【００３８】
ＣＰ１０は、音楽、メッセージ、テキスト、イメージ及び動画などでなる多様なコンテンツのプログラムを製作して放送局２０及び付加情報生成装置３０に供給する。
【００３９】
放送局２０は、計画された指定時間に、選択されたプログラムを地上波及び指定有線を通じて同時放送（ＢＲＯＡＤＣＡＳＴＩＮＧ）する。
【００４０】
この際、付加情報生成装置３０は、前もって放送局またはＣＰと協議し、放送時間を予め確認し、該当コンテンツに対する多様な付加情報を製作するとともに、プログラムが始める同期情報を製作する。
【００４１】
付加情報は、一実施例とし、プログラムによって放映される画面の俳優、歌手または着用衣服、アクセサリーなどに対する身上情報、同好会、次出演及び公演計画、連絡先、売り口、価格、数量などのように非常に多様であり、選好度によっていろいろに応用される。
【００４２】
このような付加情報はプログラムの画面に対応するように製作しなければならないので、プログラムが放送を始めた後、指定画面の位置を正確に確認して該当付加情報を検索して提供しなければならない。
【００４３】
本発明は、このようにプログラムと付加情報を一致させるためのもので、プログラムが放送された時間を確認し、視聴者が選択した画面の時間を確認して該当付加情報を正確に検索して提供する技術に関するものである。
【００４４】
この際、プログラムの各画面と選択された画面は、時間で確認するかまたはフレーム単位で確認することができ、システム運用者によって選択される。
【００４５】
付加情報サーバー４０は、付加情報生成装置から提供されるプログラムの画面単位付加情報と同期画面に対する情報の入力を受け、また放送局から放送されるプログラムを有線を通じてストリーム形式で受ける。
【００４６】
このような付加情報サーバー４０は、付加情報生成装置３０からＸＭＬ形式で提供される付加情報及び同期情報をＸＭＬ解釈して同期情報を検出し、検出された同期情報のエンコード形態（ＥＮＣＯＤＥ ＴＹＰＥ）によってデコードされた画面をベクトル値に変換する。
【００４７】
付加情報生成装置３０から付加情報サーバー４０に提供される付加情報は、次のような形態のＸＭＬ情報である。
＜ＩＮＦＯ＞
＜ＳＹＮＣ ｅｎｃｏｄｅ Ｔｙｐｅ＝“ｆｕｌｌ”ｄａｔａ＝“Ｖ１、Ｖ２、Ｖ３．．．、ＶＮ”／＞
＜ＰＰＬ ｉｄ＝“１”ｂｅｇｉｎＴｉｍｅ＝“２０ｓ”ｕｒｌ＝“ｈｔｔｐ：／／．．．ａａａ．．．”／＞
＜ＰＰＬ ｉｄ＝“２”ｂｅｇｉｎＴｉｍｅ＝“６０ｓ”ｕｒｌ＝“ｈｔｔｐ：／／．．．ｂｂｂ．．．”／＞
＜／ＩＮＦＯ＞
【００４８】
このようなＳＹＮＣタグは同期情報を意味し、ＰＰＬタグは付加情報のＵＲＬを意味する。
【００４９】
付加情報サーバー４０は、放送局２０からストリーム方式で提供される放送プログラムを画面単位でデコードし、ベクトル値に変換する。
【００５０】
このように、ベクトル値に変換された放送プログラムの各画面と同期情報の類似度を比較して放送が始まった時点を探す。
【００５１】
このような類似度の比較には、ベクトルの間の距離測定のために使用される方法として、ユークリッド距離またはコサイン距離などの方法が使用される。
【００５２】
このような方式によって、放送が始まった時間（ＰＴＳ（ｓ）；ＰＲＥＳＥＮＴ ＴＩＭＥ ＳＴＡＭＰ（ＳＴＡＲＴ））を検出して記録管理し、該当付加情報も時間に関連した情報として記録して管理する。
【００５３】
また、選択によって、時間（ＰＴＳ）の代わりに画面のフレーム番号順に関連した状態に記録して管理することができる。
【００５４】
通信網５０は、放送局２０から放送されるプログラムをストリーム方式で受け、両方向放送通信サービスを利用しようとする多数の統合端末機６０に指定無線チャネルを介してブロードキャスティングする。
【００５５】
この際、通信網５０は、両方向放送通信サービスを利用している統合端末機６０の情報を付加情報サーバー４０に提供する。
【００５６】
使用者が放送されるプログラムを視聴しながら、タッチスクリーンを利用して特定画面を選択する場合、統合端末機６０は、該当時間情報（ＰＴＳ（ｉ））と座標情報（ｘ、ｙ）を確認し、通信網５０を通じて付加情報サーバー４０に提供する。この際、付加情報サーバー４０には視聴中のチャネル情報及びプログラム情報（イベント情報）がともに提供される。
【００５７】
付加情報サーバー４０は、プログラムが放送された開始時間（ＰＴＳ（ｓ））と統合端末機が選択した画面の時間（ＰＴＳ（ｉ））を演算し、演算された時間に対応する付加情報を検索する。一方、ＰＴＳ情報の利用の際、付加情報サーバー４０は、通信網内の各サーバーや装置と同期化している一般的な視覚情報（たとえば、１２時３０分２９秒０５）をともに利用し、これはＰＴＳを活用するすべてのサーバーや装置においても同様であり、以下の説明にも同様に適用される。
【００５８】
このように検索された情報から、座標情報に対応する情報をさらに検索し、検索された情報は通信網を通じて該当統合端末機６０に通信方式で伝達される。
【００５９】
このような付加情報は、テキスト、イメージ、動画及びＵＲＬ住所などが含まれる。
【００６０】
図３を参照すれば、統合端末機６０と付加情報サーバー４０の間の信号流れ状態が分かる。
【００６１】
統合端末機６０は、付加情報を確認しようとする画面を選択した時間（ＰＴＳ（ｉ））と座標情報（ｘ、ｙ）及び放送チャネル情報、プログラム情報（イベント情報）を提供し、該当付加情報であるテキスト、イメージ、動画及びＵＲＬ住所などを受けて確認する。付加情報提供の際、付加情報サーバー４０はＰＴＳ（ｓ）情報も一緒に提供する。
【００６２】
図４は、付加情報を検索して提供するために、時間情報と放送されるプログラムの間の関係を示すものである。
【００６３】
プログラムは開始時間（Ｔ０）と終了時間（ＰＴＳ（ｎ））を含み、付加情報サーバー４０が検索して放送開始時間（ＰＴＳ（ｓ））に設定し、多数の画面でなるプログラムがそれぞれのビデオパケット単位で放送され、統合端末機６０が付加情報を確認するために、特定画面を選択した時間（ＰＴＳ（ｉ））が現在視聴時間として表示される。
【００６４】
付加情報サーバー４０は、放送されるプログラムに連関された付加情報を時間単位で分類し、記録して管理するか、またはフレーム単位で分類し、記録して管理することができる。
【００６５】
プログラムに連関された付加情報をフレーム単位で分類して記録して管理する場合、前記説明は時間の代わりにフレームになる。
【００６６】
統合端末機６０は通信網に接続して放送局が放送するプログラムを放送方式で受信して視聴し、選択された画面に対する付加情報は、通信方式で接続された付加情報サーバー４０から時間またはフレーム情報によって検索された付加情報を受ける。
【００６７】
このような信号流れを添付図面の図２を参照して詳細に説明すれば、付加情報サーバー４０は、付加情報生成装置３０から放送プログラムの付加情報及び同期情報をＸＭＬ形態で受け（Ｓ１００）、また放送局２０から放送されるプログラムをストリーム方式で受ける（Ｓ１１０）。
【００６８】
付加情報サーバー４０は、付加情報生成装置３０から受けた同期情報を解釈して分離し、デコード処理とベクトル変換を行い、放送局２０からそれぞれ受けたプログラムを画面単位でデコード処理とベクトル変換を行い、同期画面検索及び放送開始時間（ＰＴＳ（ｓ））を設定し、記録して管理する（Ｓ１２０）。
【００６９】
通信網５０は、統合端末機６０から両方向放送通信によるサービスを要請する信号が入力される場合（Ｓ１３０）、付加情報サーバー４０に統合端末機６０の情報を通報するとともに、放送局２０に放送されるプログラムの提供を要請する（Ｓ１４０）。
【００７０】
通信網５０は、放送局２０から放送されるプログラムを受け（Ｓ１５０）、移動通信方式で割り当てられた無線チャネルの中で指定無線チャネルを介して統合端末機６０に伝達することで放送する（Ｓ１６０）。
【００７１】
このように、両方向放送通信によるプログラムを視聴する統合端末機６０が選択された画面の付加情報を通信網５０を通じて付加情報サーバー４０に要請する（Ｓ１７０）。
【００７２】
付加情報サーバー４０は、統合端末機６０から付加情報の提供を望む画面の該当時間（ＰＴＳ（ｉ））情報を検出し、記録管理される開始時間（ＰＴＳ（ｓ））情報と演算によってプログラムが放送された後の経過時間を求め、このように求められた経過時間に対応する付加情報を検索する（Ｓ１８０）。
【００７３】
この際、座標情報（ｘ、ｙ）が必要な場合は、座標情報を含む付加情報を検索し、付加情報にはテキスト、イメージ、動画及びＵＲＬ住所情報などが含まれる。
【００７４】
このような付加情報サーバー４０が検索した付加情報は通信網を通じて統合端末機６０に伝達して提供される（Ｓ１９０）。
【００７５】
したがって、放送局２０が放送するプログラムの画面と付加情報生成装置３０から提供する同期情報画面のベクトル値を比較し、放送開始画面と時間を検出して設定する。
【００７６】
図５を参照して本発明の一実施例による付加情報サーバーを説明すれば、付加情報サーバー４０は、放送局から放送されるプログラムをストリーム形式で受信する放送受信部４１；放送受信部が受信したプログラムの画面単位映像情報に解読するデコーダ部４２；付加情報生成装置３０からＸＭＬ形態の情報で提供される付加情報と同期情報を記録管理する同期情報部４３；同期情報部からＸＭＬ形態の同期画面情報をかつデコーダ部から画面単位プログラム情報をそれぞれ受け、ベクトル化変換して類似度を比較し、所定の臨界値以上であれば、放送開始画面として設定するとともに放送開始時間（ＰＴＳ（ｓ））を検出する映像比較部４４；及び映像比較部から提供される開始時間（ＰＴＳ（ｓ））を記録管理する開始時間部４５；を含んでなることができる。
【００７７】
図６を参照して映像比較部４４をもっと詳細に説明すれば、映像比較部４４は、デコーダ部４２から提供される画面単位情報信号と、解釈部から提供される同期画面の情報をエンコード形態によってデコードされた画面情報信号にそれぞれ変換するベクトル部４４１、同期情報部４３からＸＭＬ形態で提供される付加情報と同期情報を解釈して同期情報を分離し、エンコード形態によってデコードし、ベクトル値に変換された同期情報を提供する解釈部４４２、ベクトル部と解釈部から提供される各画面のベクトル情報類似度が所定の臨界値より大きい値であるかを判断し、小さな値の画面は捨て、大きな値の画面を選択し、該当時間を開始時間に設定する比較部４４３を含むことができる。
【００７８】
図８を参照すれば、本発明の付加情報サーバーの運用方法は、放送局から放送されるプログラムの入力をストリーム方式で受けデコードしてベクトル値に変換する過程；付加情報サーバーによって付加情報生成装置から付加情報と同期情報の入力を受け、ＸＭＬ解釈し、エンコード形態にデコードしてベクトル値に変換する過程；各ベクトル値の類似度を比較し、設定された臨界値より大きければ、プログラムの同期映像と開始時間を設定する過程；を含むことができる。
【００７９】
図５及び図６を参照して本発明の付加情報サーバー及びその動作過程を詳細に説明すれば次のようである。
【００８０】
放送局２０は、プログラムを該当周波数の無線で放送するとともに指定の有線を通じてストリーム方式で付加情報サーバー４０に放送する。
【００８１】
付加情報サーバー４０の放送受信部４１は、ストリーム方式で伝送されるプログラムを受信してデコーダ部４２に提供し、デコーダ部４２は、画面単位の映像情報データ信号に解読して映像比較部に提供する。
【００８２】
また、付加情報生成装置３０からＸＭＬ形態で提供されるプログラムの付加情報と同期情報は、同期情報部４３で受信し記録して映像比較部４４に提供される。
【００８３】
映像比較部４４のベクトル部４４１は、デコーダ部４２から提供される画面単位映像信号をベクトル値に変換する。
【００８４】
また、解釈部４４２は、同期情報部４３から提供されるＸＭＬ形態の情報を解釈して同期画面のデータ情報を分離し、分離された同期画面情報がエンコードされた形態にしたがってデコードし、デコードされた情報をベクトル部４４１に提供する。
【００８５】
ベクトル部４４１は、それぞれの画面映像をベクトル値に変換し、変換されたベクトル値を比較部に提供する。
【００８６】
図７を参照すれば、ベクトル部４４１が各画面映像のベクトル値を求める方式には、ＦＵＬＬ方式、ＣＲＯＳＳ方式、及びＯＢＬＩＱＵＥ方式がある。ＦＵＬＬ方式が一番正確であるが、データ量が大きくて時間が長くかかり、ＯＢＬＩＱＵＥ方式はデータ量と所要時間が小さいが、正確度が落ちる特性がある。
【００８７】
このようなベクトル化特性は、処理時間、メモリ空間、正確性などよって違うので、該当応用（ＡＰＰＬＩＣＡＴＩＯＮ）によって適当な方式を選択する。
【００８８】
ベクトル部４４１によってベクトル値に変換された放送プログラムと同期映像情報は、比較部４４３に提供される。この比較部４４３は、類似度が設定臨界値より大きい値であるかを判断し、臨界値より小さな類似度のプログラム画面は捨て、臨界値より大きい類似度のプログラム画面を選択して放送開始画面に設定するとともに放送開始時間（ＰＴＳ（ｓ））を設定する。
【００８９】
このように、比較部４４３が類似度を測定する方式はベクトル間の距離を測定する方式で、ユークリッド距離方式とコサイン距離方式などが含まれる。
【００９０】
ベクトル部４４１と解釈部４４２と比較部４４３が含まれる映像比較部４４で設定された開始時間（ＰＴＳ（ｓ））情報は開始時間部４５に提供され、記録されて管理される。
【００９１】
このような処理過程を、図８を参照してもっと詳細に説明すれば次のようである。
【００９２】
付加情報サーバー４０によって、放送局２０から放送プログラムがストリーム方式で提供されるかを確認する（Ｓ２００）。
【００９３】
放送プログラムがストリーム方式で提供されれば、放送受信部４１が放送プログラムを受信し、デコーダ部４２に提供して画面単位の映像信号または画面信号に復調するデコード処理を行う（Ｓ２１０）。
【００９４】
復調されたプログラムの画面単位信号は映像比較部４４に提供され、画面単位ベクトル値にそれぞれ変換される（Ｓ２２０）。
【００９５】
また、付加情報生成装置３０から付加情報と同期情報がＸＭＬ形態で提供されるか否かを確認し（Ｓ２３０）、付加情報と同期情報が提供される場合、同期情報部４３が重心して映像比較部４４に提供する。
【００９６】
映像比較部４４の解釈部４４２はＸＭＬ形態の情報を解釈し、同期画面の情報を分離し（Ｓ２４０）、エンコード形態別にデコードする（Ｓ２５０）。ベクトル部４４１は、デコード情報をベクトル値に変換される（Ｓ２６０）。
【００９７】
このように、プログラムのベクトル値と同期画面情報のベクトル値に対する類似度を比較し、所定の臨界値より大きいかを確認する（Ｓ２７０）。
【００９８】
プログラム画面のベクトル値と同期画面ベクトル値の類似度が、所定の臨界値より大きい場合は、該当プログラム画面を放送開始画面に設定し、設定された画面が放送された時間をプログラムの放送開始時間（ＰＴＳ（ｓ））として指定して設定する（Ｓ２８０）。
【００９９】
したがって、放送局２０が放送するプログラムの画面と付加情報生成装置３０が提供する同期情報画面を比較し、放送開始時間を検出して設定する。
【０１００】
図９を参照すれば、本発明の付加情報サーバーの動作過程の他の例は、付加情報サーバー４０によって行われるもので、統合端末機６０が選択された画面の付加情報を要請するか確認する過程；統合端末機から選択された画面の時間情報と座標情報の入力を受け、プログラムの放送経過時間を演算する過程；選択された画面と座標情報に対応する付加情報を検索して統合端末機に提供する過程；を含む。
【０１０１】
より詳細に説明すれば、付加情報サーバー４０は統合端末機６０から付加情報の提供が要請されるかどうかを確認し（Ｓ３００）、統合端末機６０の使用者が放送プログラム視聴中に画面を選択して付加情報の提供を要請すれば、付加情報サーバー４０は、統合端末機６０から視聴中のチャネルを区分するためのチャネル情報、視聴中のプログラム区分のためのイベント情報、及び使用者が画面を選択した時間情報（ＰＴＳ（ｉ））と座標情報（ｘ、ｙ）の入力を受ける（Ｓ３１０）。
【０１０２】
付加情報サーバー４０は、すでに検出して設定した放送開始画面による放送開始時間（ＰＴＳ（ｓ））と統合端末機６０が提供する情報要請画面の時間情報（ＰＴＳ（ｉ））を演算し、プログラムが放送された後の経過時間を求める（Ｓ３２０）。
【０１０３】
付加情報サーバー４０は、演算された時間値と座標値を参照して付加情報を検索し（Ｓ３３０）、該当付加情報（テキスト、イメージ、動画など）及びＰＴＳ（ｓ）情報を統合端末機６０に提供する（Ｓ３４０）。
【０１０４】
図１０を参照すれば、本発明の一実施例による統合端末機の動作過程は、統合端末機６０が放送通信信号を受信するか確認する過程；放送通信信号を受信する場合は、プログラムを受信して視聴し、付加情報を確認するか否かを判断する過程；及び付加情報を確認する場合は、画面の時間情報と座標情報を提供し、テキスト、イメージ、オーディオ、動画及びＵＲＬが含まれる付加情報を受けて出力する過程；を含むことができる。
【０１０５】
より詳細に説明すれば、統合端末機６０は、通信網５０に通信状態で接続して、放送局２０が放送するプログラムを両方向放送通信サービスによって受信して視聴するかを確認する（Ｓ４００）。
【０１０６】
このような統合端末機６０が両方向放送通信を受信すると確認されれば、移動通信の指定無線チャネルを介して放送されるプログラムを受信して視聴し（Ｓ４１０）、プログラムを視聴する状態で特定画面を指定して該当付加情報を確認するかを否かを判断する（Ｓ４２０）。
【０１０７】
統合端末機６０は、特定画面を指定して付加情報を確認する場合、選択された画面の該当時間情報（ＰＴＳ（ｉ））と座標情報（ｘ、ｙ）を通信網５０を通じて付加情報サーバー４０に提供する（Ｓ４３０）。
【０１０８】
統合端末機６０は、付加情報サーバー４０からテキスト、イメージ、オーディオ、動画及びＵＲＬ情報を含む付加情報を受け、該当表示部及びオーディオ部を通じて出力する（Ｓ４４０）。
【０１０９】
ついで、図１１〜図１３に基づいて本発明の第２実施例を説明すれば次のようである。
【０１１０】
図１１は本発明の第２実施例による放送コンテンツと付加情報の同期化システムに対する概略構成図を示す。
【０１１１】
図１１に示すように、本発明の第２実施例によるシステムは、付加情報生成装置１００、同期サーバー２００、付加情報サーバー３００、端末連動サーバー４００、及び統合端末機５００を含む。
【０１１２】
前記付加情報生成装置１００は、放送網を通じて送出される放送コンテンツ同一である放送コンテンツをコンテンツ提供者（ＣＰ）から受け、前記放送コンテンツに関連された付加情報及び同期情報を生成して伝送する。好ましくは、付加情報生成装置１００は、たとえば特定プログラムの物語情報、俳優の人物情報、背景音楽情報、プログラムに登場する製品に対する情報などを含む付加情報を生成して付加情報サーバーに伝送する。さらに、付加情報生成装置１００は、同期情報、たとえば特定放送プログラムの初期画面、特定放送グラムの場面転換画面、該当プログラムの開始後、場面転換画面の発生視覚情報、前記場面転換の発生した画面と前記特定プログラムの初期画面との時間差情報、初期画面や場面転換画面の特性値抽出情報などを生成して同期サーバー２００に伝送する。
【０１１３】
前記同期サーバー２００は、放送網を通じて受信される放送コンテンツと前記付加情報生成装置１００から伝送される同期情報を比較し、前記コンテンツ提供者から提供される放送コンテンツと前記放送網を通じて受信される放送コンテンツの間の時間的オフセット（Ｏｆｆｓｅｔ）を考慮した同期情報を把握し、把握された同期情報に基づいて前記統合端末機５００の付加情報要請の時点に対応する画面情報を抽出する。
【０１１４】
このために、同期サーバー２００は、図１２に示すように、特定プログラムの開始時間に対する数秒のオフセット（Ｏｆｆｓｅｔ）を持つだいたいの同期情報を獲得するための第1同期設定部２１０；前記だいたいの同期情報を補うための第２同期設定部２２０；及び前記第１同期設定部２１０及び第２同期設定部２２０によって把握された同期情報に基づいて統合端末機５００の付加情報要請の時点に対応する画面情報を抽出する画面情報抽出部２３０；を含む。
【０１１５】
前記第１同期設定部２１０は、放送網のＥＰＧ（Ｅｌｅｃｔｒｏｎｉｃ Ｐｒｏｇｒａｍ Ｇｕｉｄｅ）チャネルを介して伝達されるプログラム編成情報に基づいて前記コンテンツ提供者から受信された放送コンテンツの特定プログラムに対する開始時間情報を含む第１同期（Ｃｏａｒｓｅ Ｓｙｎｃｈｒｏｎｉｚａｔｉｏｎ）情報を獲得する。一方、第１同期設定部２１０は、前述した第１同期情報を獲得するため、前記ＥＰＧチャネルとは別に放送局に備えられたＰＭＳ（Ｐｒｏｇｒａｍ Ｍａｎａｇｅｍｅｎｔ Ｓｅｖｅｒ）から前記プログラム編成情報を受信する方案も可能である。
【０１１６】
前記第２同期設定部２２０は、付加情報生成装置１００から受信される前記場面転換の発生した画面情報に基づき、前記放送網を通じて受信される放送コンテンツ上の特定プログラムに対する場面転換の発生した画面情報を抽出する。さらに、第２同期設定部２２０は、前記特定プログラムの初期画面との時間差情報に基づき、前記放送網を通じて受信される放送コンテンツの特定プログラムに対する初期画面情報を獲得し、前記初期画面情報にエンコードされたＰＴＳ（Ｐｒｅｓｅｎｔ Ｔｉｍｅ Ｓｔａｍｐ）情報を含む第２同期（Ｆｉｎｅ Ｓｙｎｃｈｒｏｎｉｚａｔｉｏｎ）情報を抽出する。ここで、ＰＴＳ情報は、ＭＰＥＧ２標準での画面による現在時間情報を意味する。このようなＰＴＳ情報の代わりにＰＣＲ（Ｐｒｏｇｒａｍ Ｃｌｏｃｋ Ｒｅｆｅｒｅｎｃｅ）の適用も可能である。
【０１１７】
前記画面情報抽出部２３０は、前記第１同期情報及び第２同期情報に基づき、前記統合端末機の付加情報要請に応じて受信されるＰＴＳ情報との時間差を活用し、前記付加情報要請の時点に対応する画面情報を抽出し、抽出された画面情報を前記付加情報サーバー３００に伝送する。
【０１１８】
前記付加情報サーバー３００は、付加情報生成装置１００から伝送される付加情報を受信して保存し、前記付加情報の要請に応じて前記同期サーバー２００、好ましくは画面情報抽出部２３０から伝送される前記抽出された画面情報を受信し、保存された付加情報のうち、これと関連した付加情報を抽出して伝送する。
【０１１９】
前記端末連動サーバー４００は、統合端末機５００が同期サーバー２００及び付加情報サーバー３００と個別的な連結を試みることを防止し、一つのサーバーを通じて連動サービスを利用するようにするもので、通信網を通じて統合端末機５００の付加情報要請に応じて受信される付加情報の要請の時点に対応する放送コンテンツのＰＴＳ情報を同期サーバー２００に提供し、さらに付加情報サーバー３００から抽出された特定付加情報を受信し、これを統合端末機５００に提供する。
【０１２０】
前記統合端末機５００は放送サービスと通信サービスを同時に具現するようになった移動通信端末機を含む多様な端末機を指すもので、放送網を通じて受信される放送コンテンツと要請に応じて通信網を通じて端末連動サーバー４００から受信される前記放送コンテンツに同期化した付加情報を表示する。
【０１２１】
以下、図１３を参照して本発明の好適な実施例による分類客体別接近権限付与方法を説明する。ここで、図１３は本発明の第２実施例による放送コンテンツと付加情報の同期化方法を説明するための概略フローチャートである。
【０１２２】
まず、付加情報生成装置１００がコンテンツ提供者（ＣＰ）から提供される放送コンテンツを受信し、前記放送コンテンツと関連した付加情報及び同期情報を生成して伝送する（Ｓ１１１０−Ｓ１１４０）。好ましくは、付加情報生成装置１００は、たとえば特定プログラムの物語情報、俳優の人物情報、背景音楽情報、プログラムに登場する製品に対する情報などを含む付加情報を生成して付加情報サーバーに伝送する。さらに、付加情報生成装置１００は、同期情報、たとえば特定放送プログラムの初期画面、特定放送グラムの場面転換画面、該当プログラム開始の後、場面転換画面の発生視覚情報、前記場面転換の発生した画面と前記特定プログラムの初期画面との時間差情報、初期画面や場面転換画面の特性値抽出情報などを生成して同期サーバー２００に伝送する。
【０１２３】
その後、付加情報サーバー３００が前記付加情報生成装置１００から伝送される前記付加情報を受信して保存する（Ｓ１１５０）。
【０１２４】
また、同期サーバー２００が、前記段階‘Ｓ１１３０'と同時に、放送網を通じて受信される前記放送コンテンツと前記付加情報生成装置から伝送される同期情報を比較し、前記コンテンツ提供者から提供される放送コンテンツと前記放送網を通じて受信される放送コンテンツの間の時間的オフセット（Ｏｆｆｓｅｔ）を考慮した同期情報を把握する。さらに具体的に、第１同期設定部２１０は、放送網のＥＰＧ（Ｅｌｅｃｔｒｏｎｉｃ Ｐｒｏｇｒａｍ Ｇｕｉｄｅ）チャネルを介して伝達されるプログラム編成情報を受信し、前記受信されたプログラム編成情報に基づいて前記コンテンツ提供者から受信された放送コンテンツ上の特定プログラムに対する開始時間情報を含む第１同期（Ｃｏａｒｓｅ Ｓｙｎｃｈｒｏｎｉｚａｔｉｏｎ）情報を把握する（Ｓ１１６０−Ｓ１１７０）。これと同時に、第２同期設定部２２０は、前記第１同期情報を補うために、前記付加情報生成装置１００から受信される場面転換の発生した画面情報に基づき、前記放送網を通じて受信される放送コンテンツ上の特定プログラムに対して場面転換の発生した画面情報を抽出し、前記特定プログラムの初期画面との時間差情報に基づき、前記放送網を通じて受信される放送コンテンツの特定プログラムに対する初期画面情報を獲得し、前記獲得された初期画面情報にエンコードされたＰＴＳ（Ｐｒｅｓｅｎｔ Ｔｉｍｅ Ｓｔａｍｐ）情報を含む第２同期（Ｆｉｎｅ Ｓｙｎｃｈｒｏｎｉｚａｔｉｏｎ）情報を把握する（Ｓ１１８０−Ｓ１２００）。
【０１２５】
その後、端末連動サーバー４００が通信網を通じて前記統合端末機５００の付加情報要請に応じて付加情報要請の時点に対応する放送コンテンツのＰＴＳ情報を受信して前記同期サーバーに提供する（Ｓ１２１０−Ｓ１２２０）。
【０１２６】
これを受信した同期サーバー２００は、時間的オフセットを考慮した同期情報に基づき、前記端末連動サーバー４００から受信されるＰＴＳ情報との時間差を活用し、前記付加情報要請の時点に対応する画面情報を抽出して伝送する（Ｓ１２３０−Ｓ１２５０）。好ましくは、画面情報抽出部２３０は、前記第１同期情報または第２同期情報に基づき、前記統合端末機の付加情報要請に応じて受信されるＰＴＳ情報との時間差を活用し、前記付加情報要請の時点に対応する画面情報を抽出し、抽出された画面情報を前記付加情報サーバー３００に伝送する。
【０１２７】
その後、付加情報サーバー３００が同期サーバー４００から伝送される前記抽出された画面情報と関連した付加情報を抽出して伝送する（Ｓ１２６０−Ｓ１２７０）。
【０１２８】
その後、端末連動サーバー４００が前記付加情報サーバーから前記抽出された付加情報を受信し、通信網を通じて統合端末機５００に提供し、これを受信した統合端末機５００は放送網を通じて受信される放送コンテンツと、要請に応じて通信網を通じて端末連動サーバー４００から受信される前記放送コンテンツに同期化した付加情報を表示する（Ｓ１２８０−Ｓ１２９０）。
【０１２９】
以上本発明の好適な実施例を例示のために開示したが、当業者であれば添付する特許請求の範囲に開示したような本発明の範囲及び精神から逸脱しない範囲内で多様な修正、付加及び代替が可能であろう。
【産業上の利用可能性】
【０１３０】
本発明による放送コンテンツと付加情報の同期化システム及び方法によれば、使用者が視聴中の放送プログラムの正確な時間情報を獲得し、これに基づいて同期化を具現することによって、放送コンテンツによる物語情報、俳優の人物情報、背景音楽情報、プログラムに登場する製品に対する情報などの付加情報を実時間で可変する該当放送コンテンツに正確にマッチングさせて提供することができる。
【図１】
2010516078.tif 000003
【図２】
2010516078.tif 000004
【図３】
2010516078.tif 000005
【図４】
2010516078.tif 000006
2010516078.tif 000007
【図５】
2010516078.tif 000008
2010516078.tif 000009
【図６】
2010516078.tif 000010
【図７】
2010516078.tif 000011
【図８】
2010516078.tif 000012
【図９】
2010516078.tif 000013
【図１０】
2010516078.tif 000014
【図１１】
2010516078.tif 000015
【図１２】
2010516078.tif 000016
【図１３】
2010516078.tif 000017
【手続補正書】
【提出日】平成21年7月9日(2009.7.9)
【手続補正１】
【補正対象書類名】特許請求の範囲
【補正対象項目名】全文
【補正方法】変更
【補正の内容】
【特許請求の範囲】
【請求項１】
放送コンテンツの特定放送プログラムと連動する付加情報を提供する付加情報サーバーにおいて、
放送コンテンツを受信する放送受信手段；
前記特定放送プログラムと連動する付加情報の同期情報を保存する同期情報保存手段；
予め保存された前記特定放送プログラムに対する転換画面と前記放送コンテンツの映像を比較して前記特定放送プログラムの開始時間を設定する映像比較手段；及び
前記特定放送プログラムの開始時間から特定画面の経過時間を計算して前記経過時間にあたる付加情報を抽出する付加情報抽出手段；
を含むことを特徴とする、付加情報サーバー。
【請求項２】
前記付加情報抽出手段は、使用者端末機から前記特定画面に対する時間情報を受信し、前記受信した特定画面に対する時間情報から前記特定画面の経過時間を計算し、前記経過時間に対応する付加情報を抽出して前記使用者端末機に伝送することを特徴とする、請求項１に記載の付加情報サーバー。
【請求項３】
前記開始時間及び前記特定画面に対する時間情報は、ＰＴＳ情報、ＰＣＲ情報及びフレーム情報の中で少なくとも一つであることを特徴とする、請求項２に記載の付加情報サーバー。
【請求項４】
前記付加情報抽出手段は、前記使用者端末機から座標情報をさらに受信し、前記経過時間及び前記座標情報に対応する付加情報を抽出して前記使用者端末機に伝送することを特徴とする、請求項２に記載の付加情報サーバー。
【請求項５】
前記付加情報の同期情報は、前記特定放送プログラム転換画面に対する時間差情報を含むことを特徴とする、請求項１〜４のいずれか１項に記載の付加情報サーバー。
【請求項６】
前記付加情報の同期情報は、前記特定放送プログラム転換画面に対する情報を含むことを特徴とする、請求項１〜４のいずれか１項に記載の付加情報サーバー。
【請求項７】
前記放送コンテンツのプログラム編成情報から前記特定放送プログラムの開始時間情報を獲得する手段；をさらに含み、
前記映像比較手段は、前記予め保存された前記特定放送プログラムに対する転換画面と前記放送コンテンツの映像を比較し、前記獲得された開始時間情報を補って前記特定放送プログラムの開始時間を設定することを特徴とする、請求項１〜４のいずれか１項に記載の付加情報サーバー。
【請求項８】
放送コンテンツの特定放送プログラムと連動する付加情報を提供する方法において、
特定放送プログラムと連動する付加情報の同期情報を受信する段階；
受信された放送コンテンツの映像と予め保存された前記特定放送プログラムに対する転換画面を比較して前記特定放送プログラムの開始時間を設定する段階；
前記設定された特定放送プログラムの開始時間から特定画面に対する経過時間を計算する段階；
前記経過時間に対応する付加情報を抽出する段階；
を含むことを特徴とする、放送コンテンツの特定放送プログラムと連動する付加情報を提供する方法。
【請求項９】
前記特定画面に対する時間情報を受信する段階；をさらに含み、
前記特定画面に対する経過時間を計算する段階は、前記設定された放送プログラムの開始時間と前記受信した特定画面に対する時間情報から前記経過時間を計算することを特徴とする、請求項８に記載の放送コンテンツの特定放送プログラムと連動する付加情報を提供する方法。
【請求項１０】
前記開始時間及び前記特定画面に対する時間情報は、ＰＴＳ情報、ＰＣＲ情報及びフレーム情報の中で少なくとも一つであることを特徴とする、請求項８に記載の放送コンテンツの特定放送プログラムと連動する付加情報を提供する方法。
【請求項１１】
座標情報を受信する段階；をさらに含み、
前記付加情報を抽出する段階は、前記経過時間及び前記座標情報に対応する付加情報を抽出して伝送することを特徴とする、請求項９に記載の放送コンテンツの特定放送プログラムと連動する付加情報を提供する方法。
【請求項１２】
前記付加情報の同期情報は、前記放送プログラム転換画面に対する時間差情報を含むことを特徴とする、請求項８〜１１のいずれか１項に記載の放送コンテンツの特定放送プログラムと連動する付加情報を提供する方法。
【請求項１３】
前記付加情報の同期情報は、前記放送プログラム転換画面に対する情報を含むことを特徴とする、請求項８〜１１のいずれか１項に記載の放送コンテンツの特定放送プログラムと連動する付加情報を提供する方法。
【請求項１４】
前記放送コンテンツの放送プログラム編成情報から前記特定放送プログラムの開始時間情報を獲得する段階；をさらに含み、
前記特定放送プログラムの開始時間を設定する段階は、前記受信された放送コンテンツの映像と前記特定放送プログラムに対する転換画面を比較し、前記獲得された開始時間情報を補って前記特定放送プログラムの開始時間を設定することを特徴とする、請求項８〜１１のいずれか１項に記載の放送コンテンツの特定放送プログラムと連動する付加情報を提供する方法。
【手続補正２】
【補正対象書類名】明細書
【補正対象項目名】０００７
【補正方法】変更
【補正の内容】
【０００７】
したがって、本発明は前述したような先行技術が持っている問題点を解決するためになされたもので、本発明の目的は、放送コンテンツ上の特定放送プログラムと連動する付加情報を提供するためのサーバー及びその提供方法を提供することにある。
【手続補正３】
【補正対象書類名】明細書
【補正対象項目名】０００８
【補正方法】変更
【補正の内容】
【０００８】
前記目的を達成するための本発明の放送コンテンツの特定放送プログラムと連動する付加情報を提供する付加情報サーバーは、放送コンテンツを受信する放送受信手段；前記特定放送プログラムと連動する付加情報の同期情報を保存する同期情報保存手段；予め保存された前記特定放送プログラムに対する転換画面と前記放送コンテンツの映像を比較して前記特定放送プログラムの開始時間を設定する映像比較手段；及び前記特定放送プログラムの開始時間から特定画面の経過時間を計算して前記経過時間にあたる付加情報を抽出する付加情報抽出手段；を含む。
本発明において、前記付加情報抽出手段は、使用者端末機から前記特定画面に対する時間情報を受信し、前記受信した特定画面に対する時間情報から前記特定画面の経過時間を計算し、前記経過時間に対応する付加情報を抽出して前記使用者端末機に伝送することが好ましい。
本発明において、前記開始時間及び前記特定画面に対する時間情報は、ＰＴＳ情報、ＰＣＲ情報及びフレーム情報の中で少なくとも一つであることが好ましい。
本発明において、前記付加情報抽出手段は、前記使用者端末機から座標情報をさらに受信し、前記経過時間及び前記座標情報に対応する付加情報を抽出して前記使用者端末機に伝送することが好ましい。
本発明において、前記付加情報の同期情報は、前記特定放送プログラム転換画面に対する時間差情報を含むことが好ましい。
本発明において、前記付加情報の同期情報は、前記特定放送プログラム転換画面に対する情報を含むことが好ましい。
本発明において、前記放送コンテンツのプログラム編成情報から前記特定放送プログラムの開始時間情報を獲得する手段；をさらに含み、前記映像比較手段は、前記予め保存された前記特定放送プログラムに対する転換画面と前記放送コンテンツの映像を比較し、前記獲得された開始時間情報を補って前記特定放送プログラムの開始時間を設定することが好ましい。
本発明の放送コンテンツの特定放送プログラムと連動する付加情報を提供する方法は、特定放送プログラムと連動する付加情報の同期情報を受信する段階；受信された放送コンテンツの映像と予め保存された前記特定放送プログラムに対する転換画面を比較して前記特定放送プログラムの開始時間を設定する段階；前記設定された特定放送プログラムの開始時間から特定画面に対する経過時間を計算する段階；前記経過時間に対応する付加情報を抽出する段階；を含むことが好ましい。
本発明の方法は、前記特定画面に対する時間情報を受信する段階；をさらに含み、前記特定画面に対する経過時間を計算する段階は、前記設定された放送プログラムの開始時間と前記受信した特定画面に対する時間情報から前記経過時間を計算することが好ましい。
本発明において、前記開始時間及び前記特定画面に対する時間情報は、ＰＴＳ情報、ＰＣＲ情報及びフレーム情報の中で少なくとも一つであることが好ましい。
本発明の方法は、座標情報を受信する段階；をさらに含み、前記付加情報を抽出する段階は、前記経過時間及び前記座標情報に対応する付加情報を抽出して伝送することが好ましい。
前記付加情報の同期情報は、前記放送プログラム転換画面に対する時間差情報を含むことを特徴とする、請求項８〜１１のいずれか１項に記載の放送コンテンツの特定放送プログラムと連動する付加情報を提供する方法。
本発明において、前記付加情報の同期情報は、前記放送プログラム転換画面に対する情報を含むことが好ましい。
本発明の方法は、前記放送コンテンツの放送プログラム編成情報から前記特定放送プログラムの開始時間情報を獲得する段階；をさらに含み、前記特定放送プログラムの開始時間を設定する段階は、前記受信された放送コンテンツの映像と前記特定放送プログラムに対する転換画面を比較し、前記獲得された開始時間情報を補って前記特定放送プログラムの開始時間を設定することが好ましい。
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】削除
【補正の内容】
【手続補正１２】
【補正対象書類名】明細書
【補正対象項目名】００１７
【補正方法】削除
【補正の内容】
【手続補正１３】
【補正対象書類名】明細書
【補正対象項目名】００１８
【補正方法】削除
【補正の内容】
【手続補正１４】
【補正対象書類名】明細書
【補正対象項目名】００１９
【補正方法】削除
【補正の内容】
【手続補正１５】
【補正対象書類名】明細書
【補正対象項目名】００２０
【補正方法】削除
【補正の内容】
【手続補正１６】
【補正対象書類名】明細書
【補正対象項目名】００２１
【補正方法】削除
【補正の内容】
【手続補正１７】
【補正対象書類名】明細書
【補正対象項目名】００２２
【補正方法】削除
【補正の内容】
【手続補正１８】
【補正対象書類名】明細書
【補正対象項目名】００２３
【補正方法】削除
【補正の内容】
【手続補正１９】
【補正対象書類名】明細書
【補正対象項目名】００２４
【補正方法】削除
【補正の内容】
【手続補正２０】
【補正対象書類名】明細書
【補正対象項目名】００２５
【補正方法】削除
【補正の内容】
【手続補正２１】
【補正対象書類名】明細書
【補正対象項目名】００２６
【補正方法】削除
【補正の内容】
【手続補正２２】
【補正対象書類名】明細書
【補正対象項目名】００２７
【補正方法】削除
【補正の内容】
【国際調査報告】
2010516078.tif 000018
2010516078.tif 000019